(57)【要約】【課題】操作性および見た目を良好にでき、建具を高品位に維持できる窓開閉装置を提供すること。    【解決手段】建具の窓枠に固定される装置本体１１と、この装置本体１１に設けられた回動自在なハンドル１２とを備える窓開閉装置１０であって、装置本体１１には、ハンドル１２が取り付けられる回転自在なウォーム１７と、このウォーム１７に噛合して回転するウォームホイール１９と、このウォームホイール１９の動きを建具の可動部に伝達する連杆３０と、ウォーム１７の軸部３６に係合してハンドル１２の動きを抑制するウォームガイド４１とを設けた。このウォームガイド４１により、ウォーム１７が動いてハンドル１２が垂れ下がるのを抑制でき、前記課題を解決できる。【選択図】図４
2010090640.tif 000002
【特許請求の範囲】
【請求項１】
建具の窓枠に固定される装置本体と、この装置本体に設けられた回動自在なハンドルとを備える窓開閉装置であって、
前記装置本体には、
前記ハンドルが取り付けられる回転自在なウォームと、
このウォームに噛合して回転するウォームホイールと、
このウォームホイールの動きを前記建具の可動部に伝達する連杆と、
前記ウォームの軸部に係合して前記ハンドルの動きを抑制する抑制手段とが設けられている
ことを特徴とする窓開閉装置。
【請求項２】
前記抑制手段は、前記軸部が挿通される環状に設けられているとともに、内周面から径方向の中央に向かって突出した接触突部を有し、この接触突部が前記軸部に接触し、かつ外周面が周方向の全域にわたって前記装置本体の台座に係合する請求項１に記載の窓開閉装置。
【請求項３】
前記ウォームの先端には、前記装置本体の台座に設けられた挿入孔にブッシュを介して挿入される挿入部が設けられ、前記ブッシュには、前記台座に係止される鍔部が設けられている請求項１または請求項２に記載の窓開閉装置。
【請求項４】
前記装置本体は、前記窓枠に対してビスにより固定されており、前記装置本体には、前記ビスを覆うビスカバーが着脱自在に取り付けられるとともに、当該ビスカバーの取付方向に沿った線状のガイド部と、取付完了位置にて当該ビスカバーが係止される係止部とが設けられ、前記ビスカバーには、前記装置本体のガイド部と係合してガイドされる被ガイド部、および前記係止部に係止される被係止部が設けられている請求項１から請求項３のいずれかに記載の窓開閉装置。
【請求項５】
請求項１から請求項４のいずれかに記載の窓開閉装置を備えていることを特徴とする建具。
【発明の詳細な説明】
【技術分野】
【０００１】
本発明は、建具に用いられる窓開閉装置およびこれを備えた建具に関する。
【背景技術】
【０００２】
従来、ルーバー窓や辷り出し窓等の建具には、ハンドル操作によって窓の開閉を行う窓開閉装置が用いられている（特許文献１，２）。窓開閉装置は概略、ハンドルと一体に設けられたウォームと、ウォームに噛合して回転するウォームホイールと、ウォームホイールと連動して動作する連杆とを備え、これらの部材が台座に組み込まれる構成である。そして、ルーバー窓であれば、この台座が建具の窓枠に取り付けられ、連杆が窓枠側の縦杆に連結される。ハンドルを操作することにより連杆が動作し、縦杆に取り付けられたガラスルーバーが開閉する。
【０００３】
【特許文献１】特開平９−１８５４２５号公報
【特許文献２】特開２００２−２２０９６９号公報
【発明の開示】
【発明が解決しようとする課題】
【０００４】
しかし、窓開閉装置に設けられたオペレータハンドルは、操作後の位置によっては、ウォームとウォームホイールとのバックラッシ分だけ自重により回動し、つまみ側が下方に垂れ下がってしまう。このような動きは、ハンドルの操作性を阻害するうえ、見た目に安っぽさを印象付けることになるため、そのような窓開閉装置が取り付けられた建具としては、品位をも損ねてしまうという問題がある。
【０００５】
本発明の目的は、操作性および見た目を良好にでき、建具を高品位に維持できる窓開閉装置および建具を提供することにある。
【課題を解決するための手段】
【０００６】
本発明の窓開閉装置は、建具の窓枠に固定される装置本体と、この装置本体に設けられた回動自在なハンドルとを備える窓開閉装置であって、前記装置本体には、前記ハンドルが取り付けられる回転自在なウォームと、このウォームに噛合して回転するウォームホイールと、このウォームホイールの動きを前記建具の可動部に伝達する連杆と、前記ウォームの軸部に係合して前記ハンドルの動きを抑制する抑制手段とが設けられていることを特徴とする。
【０００７】
以上の本発明によれば、窓開閉装置の装置本体には、ハンドルの動きを抑制する抑制手段が設けられているので、ウォームとウォームホイールとの間にバックラッシが存在しても、その分のガタでハンドルが動いてしまうのを抑制でき、ハンドルの垂れ下がりを抑えることができる。従って、ハンドルのふらつきを抑えて操作性を向上させることができるうえ、見た目を良好にでき、高品位を維持できる。
【０００８】
本発明の窓開閉装置において、前記抑制手段は、前記軸部が挿通される環状に設けられているとともに、内周面から径方向の中央に向かって突出した接触突部を有し、この接触突部が前記軸部に接触し、かつ外周面が周方向の全域にわたって前記装置本体の台座に係合することが好ましい。
【０００９】
このような構成によれば、抑制手段を環状に設け、この抑制手段の内面に設けられた接触突部をウォームの軸部に接触させ、また、抑制手段自身も台座と係合させるので、抑制手段が空回りすることなく、接触突部の接触時の面圧によって軸部の動きを確実に抑制でき、構造も簡素にできる。
【００１０】
本発明の窓開閉装置において、前記ウォームの先端には、前記装置本体の台座に設けられた挿入孔にブッシュを介して挿入される挿入部が設けられ、前記ブッシュには、前記台座に係止される鍔部が設けられていることが好ましい。
【００１１】
このような構成によれば、ブッシュには鍔部を設け、この鍔部を台座に係合させるので、ウォームの回転によってブッシュまでもが回転するのを抑制でき、ブッシュと台座との摩耗等によりブッシュが変形したり、ブッシュの姿勢が変化したりするのを抑制できる。このため、ウォームの回転がきつくなることもなく、ハンドルの操作性が阻害される心配がない。
【００１２】
本発明の窓開閉装置において、前記装置本体は、前記窓枠に対してビスにより固定されており、前記装置本体には、前記ビスを覆うビスカバーが着脱自在に取り付けられるとともに、当該ビスカバーの取付方向に沿った線状のガイド部と、取付完了位置にて当該ビスカバーが係止される係止部とが設けられ、前記ビスカバーには、前記装置本体のガイド部と係合してガイドされる被ガイド部、および前記係止部に係止される被係止部が設けられていることが好ましい。
【００１３】
このような構成によれば、ビスカバーを装置本体に対して位置ズレすることなく、ワンタッチ式で簡単に取り付けることができる。つまり、ビスカバーに設けられた被ガイド部を装置本体のガイド部と係合させ、ビスの取付方向と同方向にスライドさせることにより、ビスカバーを位置ずれすることなく取付完了位置に確実に位置させることができる。また、この取付完了位置では、互いの係止部および被係止部を係止させることで、ワンタッチ式で簡単に取り付けることができる。
【００１４】
本発明の建具は、前記の窓開閉装置を備えていることを特徴とし、そのような窓開閉装置を備えることで、前述した本発明の目的を達成できる。
【発明を実施するための最良の形態】
【００１５】
以下、本発明の一実施形態を図面に基づいて説明する。
図１は、本実施形態に係る建具としてのルーバー窓１を示す内観斜視図である。図２は、ルーバー窓１の一部を省略して示す内観斜視図である。
ルーバー窓１は、建物の開口部分に設置される窓枠２を備えている。窓枠２は、それぞれアルミ製の押出形材からなる上枠３、下枠４、および左右一対の縦枠５を四周枠組みした構成である。
【００１６】
窓枠２の内部には、上下に並設された複数のガラスルーバー６がそれぞれ開閉自在に収容されている。ガラスルーバー６の左右の端部には、ガラスホルダー６Ａを介して金属製の支持片（ルーバークリップ）７（一端側のみを図示）が取り付けられている。この支持片７は、回動軸７Ａによって縦枠５に回動自在に支持されるとともに、ガラスルーバー６の一端側（図１、２の右側）に設けられた支持片７には、ガラスホルダー６Ａよりも室内側に突出した連結部８が設けられている。一方、図１、２の右側の縦枠５には、上下に連続した可動部としての縦杆（連結杆）９が上下移動自在に設けられ、この縦杆９に支持片７の連結部８が回動自在に連結されている。
従って、縦杆９が下降することで、連結部８を介して支持片７の上部側が室内側に回動し、ガラスルーバー６が開く。反対に、縦杆９が上昇することで、支持片７の上部側が室外側に回動し、ガラスルーバー６が閉まる。
【００１７】
このようなガラスルーバー６の開閉、すなわち縦杆９の上下動は、縦枠５の室内側面に設けられた窓開閉装置１０を操作することで行われる。
図３は、窓開閉装置１０を示す全体斜視図であり、図４は、窓開閉装置１０の分解斜視図である。
窓開閉装置１０は、縦枠５に固定される装置本体１１と、装置本体１１に回転自在に設けられるハンドル１２とを備えている。
【００１８】
装置本体１１は、樹脂製の一対の台座１３（１３Ａ，１３Ｂ）を備えている。これらの台座１３同士は、４本のビス１４Ａにより互いに一体とされる。一体とされた台座１３Ａ，１３Ｂは、互いを貫通するビス１４Ｂによって縦枠５に固定される。
４本のビス１４Ａのうち、３本のビス１４Ａの頭部は、一方の台座１３Ａに嵌め込まれる円形のビスカバー１５によって隠され、残り１本のビス１４Ａの頭部は、ビス１４Ｂを隠すように着脱自在に設けられた箱状のビスカバー１６によって共に覆われる。
【００１９】
一方の台座１３Ａには、ウォーム１７の先端が挿入される挿入孔１８（図５をも参照）が設けられている。台座１３Ａにはまた、ウォーム１７と噛合するウォームホイール１９配置用のホイール配置部２０が設けられている。このホイール配置部２０の中央には、前述のビス１４Ａの一本が挿通される挿通孔２１が穿設されている。また、図示を省略するが、台座１３Ｂの内面には円柱状のボス部が設けられ、このボス部には当該ビス１４Ａが螺合されるビス孔が設けられ、このビス孔の周囲、すなわちボス部の外周にはウォームホイール１９の回動軸として機能するカラー２２が嵌め込まれる。
【００２０】
他方の台座１３Ｂには、ウォーム１７の基端側が挿通される挿通部２３が外方に膨出して設けられ、この挿通部２３からウォーム１７の基端側が露出する。
【００２１】
台座１３Ａ，１３Ｂの両端側には、ビスカバー１６取付用の取付部２４が設けられている。取付部２４には、ビスカバー１６の取付方向に沿ったガイド部としての線状の係合溝２５が設けられている。これに対してビスカバー１６の内面には、係合溝２５と係合する被ガイド部としての線状の係合突部２６が設けられている。係合溝２５に係合突部２６を係合させながらビスカバー１６を取付方向にスライドさせることで、ビスカバー１６を取付部２４の取付完了位置に正しくガイドでき、位置させることができる。なお、取付部２４に係合突部を設け、ビスカバー１６側に係合溝部を設けてもよいし、係合溝２５や係合突部２６を省略してもよい。
【００２２】
さらに、取付部２４側には、係止部としての係止孔２７が設けられ、ビスカバー１６の内面には、係止孔２７に係止される被係止部としての係止突起２８が設けられている。ビスカバー１６の取付完了位置では、係止突起２８が係止孔２７に係止され、ビスカバー１６がワンタッチ式で取付部２４に簡単に取り付けられるとともに、その取付状態が良好に維持される。なお、取付部２４側に係止突起を設け、ビスカバー側に係止孔を設けてもよい。
【００２３】
装置本体１１はまた、ウォームホイール１９のアーム２９に回動自在に連結される連杆３０を有している。この連杆３０の先端は、前述した縦杆９に回動自在に連結される。このような構成により、ウォーム１７が回転すると、これに噛合するウォームホイール１９が回動し、これと一体のアーム２９が装置本体１１から突出した状態で回動し、これに伴って連杆３０が動く。つまり、ウォーム１７の回転が、ウォームホイール１９、アーム２９、および連杆３０を介して縦杆９に伝達される。
【００２４】
図５は、装置本体１１のウォーム１７部分の断面図である。
台座１３Ａの挿入孔１８には、金属製で有底筒状のブッシュ３１が嵌合されている。このブッシュ３１には、図６にも拡大して示すように、外周の一部に舌片状の鍔部３２が一体に設けられている。鍔部３２は、挿入孔１８近傍に設けられた係止段差部３３に係止される。なお、ブッシュ３１の形状としては、有底筒状に限らず、底のない筒状でもよく、また底の一部に孔が形成された筒状であってもよい。
【００２５】
金属製とされたウォーム１７には、先端側から基端側に向けて挿入部３４、ウォーム部３５、軸部３６、およびセレーション３７が設けられている。このようなウォーム１７は、先端の挿入部３４がブッシュ３１内に挿入され、軸部３６が台座１３Ｂの挿通部２３に挿通されることで、台座１３Ａ，１３Ｂに対して回転自在に支持されている。また、ウォーム部３５が台座１３Ａ，１３Ｂ内に位置し、セレーション３７が台座１３Ｂから外方に突出する。
【００２６】
ここで、先端の挿入部３４を受けるブッシュ３１は、台座１３Ａの係止段差部３３に係止される鍔部３２を有しているので、ウォーム１７の回転と一緒に供回りすることがなく、挿入孔１８の経年的な摩耗を抑制でき、挿入孔１８が変形等する心配がない。このことにより、ウォーム１７の動きがきつくなるなど、操作性が阻害されるのを防止できる。
【００２７】
そして、ウォーム１７の軸部３６には、台座１３内に位置する部分にフランジ３８が設けられ、フランジ３８が挿通部２３の内側端面に対して角ワッシャ３９を介して当接している。この当接および挿入部３４のブッシュ３１への挿入により、ウォーム１７の軸方向の位置が規制されている。
【００２８】
ところで、台座１３Ｂの挿通部２３の外側端面には、奥側に窪んだ凹状部４０が設けられており、この凹状部４０の中央に対応してウォーム１７の軸部３６が挿通されている。凹状部４０の形状は、図７に拡大して示すように、角部がラウンド状に形成された略正方形状であるとともに、その内周の対向する２箇所に突起４０Ａが形成されたものであり、この凹状部４０内には、所定の厚さを有し、かつ外形が凹状部４０の内周形状と略同じとされた環状のウォームガイド４１が嵌め込まれている。
【００２９】
図８は、抑制手段としてのウォームガイド４１を単体で示す平面図である。
環状とされたウォームガイド４１の内周には、径方向の中央に向かって突出した接触突部４２が周方向の複数箇所（本実施形態では３箇所）に等周間隔で設けられている。接触突部４２は、軸部３６の外周面と適宜な面圧で接触しており、ウォーム１７の回転、ひいてはウォーム１７に取り付けられるハンドル１２の回転を抑制している。また、ウォームガイド４１の外周には、凹状部４０の２箇所の突起４０Ａに嵌合する２箇所の凹み４１Ａが形成されている。
【００３０】
このようなウォームガイド４１は樹脂製であり、好ましくはポリアセタールに代表される熱可塑性のアセタール樹脂である。その他の材質としては、ポリカーボネート、ポリプロピレン、ポリエチレ等の熱可塑性樹脂、テトラフルオロエチレン等のフッ素樹脂を適用できる。
【００３１】
ウォーム１７のセレーション３７に嵌め込まれるハンドル１２は、アルミダイカスト製であり、図４に示すように、基端が丸ワッシャ４３を介して挿通部２３の外側端面（ウォームガイド４１）に当接している。ハンドル１２の先端には、ハンドル軸部４４が一体に形成されている。このハンドル軸部４４は係合段差部４５を有している。
【００３２】
ハンドル軸部４４には、筒状のツマミカラー４６が貫挿され、ツマミカラー４６に設けられた爪部４７が係合段差部４５に回転自在に係合する。さらに、ツマミカラー４６には、中空のツマミ４８が被せられ、ツマミカラー４６に設けられた係合環状部４９がツマミ４８の内面と係合する。これにより、ハンドル１２に対してツマミ４８が回転自在に取り付けられる。よって、ツマミ４８をつまんでハンドル１２を回転させることで、その回転がハンドル１２からウォーム１７に伝達され、最終的には前述したように、ガラスルーバー６を開閉させることができる。
【００３３】
なお、ハンドル１２へのツマミ４８の取付構造としては、以上に説明した構造に限らず、図９に示す構造であってもよい。図９において、ハンドル１２には、係合ピン５０が立設され、ワッシャ５１によって抜け止めされる。係合ピン５０にはツマミカラー４６が回転自在に挿通されており、このツマミカラー４６が係合ピン５０の頭部で抜け止めされる。そして、このようなツマミカラー４６の係合環状部４９がツマミ４８の内面と係合する。
【００３４】
以上の本実施形態によれば、窓開閉装置１０の装置本体１１には、ウォーム１７の動き、ひいてはハンドル１２の動きを抑制するウォームガイド４１が設けられているので、ウォーム１７とウォームホイール１９との間にバックラッシが存在しても、その分のガタでハンドル１２が動いてしまうのを抑制でき、ハンドル１２の垂れ下がりを抑えることができる。従って、ハンドル１２のふらつきを抑えて操作性を向上させることができるうえ、見た目を良好にでき、高品位を維持できる。
【００３５】
なお、本発明を実施するための最良の構成、方法などは、以上の記載で開示されているが、本発明は、これに限定されるものではない。
例えば前記実施形態では、ルーバー窓１について説明したが、本発明の建具としてはこれに限定されず、辷り出し窓等であってもよい。そして、縦辷り出し窓の場合、窓開閉装置に設けられた連杆は、可動部としての障子を構成する下框に連結されたり、横辷り出し窓の場合、連杆が障子の竪框に連結されたりする。また、ルーバー窓とした場合でも、ルーバーの材質等は任意であり、ガラスルーバー６を備えた本実施形態の他、樹脂製、木製、金属製、木粉入り樹脂製等、その実施にあたって任意に決められてよい。
【００３６】
前記実施形態では、環状のウォームガイド４１が台座１３Ｂ側に取り付けられていたが、ウォームの軸部に環状のウォームガイドを２面幅等により一体に取り付けるとともに、このウォームガイドの外周には、径方向の外方に突出した接触突部を設け、この接触突部を台座の軸部挿通用の挿通孔内面に接触させてもよい。また、ウォームガイドとしては、軸部に対応して設けられるものの他、先端の挿入部近傍に対応して設けられていてもよい。
また、ビスカバー１５や丸ワッシャ４３などの付属部品は、適宜省略することも可能である。
【００３７】
前記実施形態では、環状のウォームガイド４１が設けられていたが、弾性を有する板バネ等を用いてウォームを押圧し、これによりウォームの動きを抑制してもよい。
【図面の簡単な説明】
【００３８】
【図１】本発明の一実施形態に係る建具を示す内観斜視図。
【図２】前記建具の一部を省略して示す内観斜視図。
【図３】窓開閉装置を示す全体斜視図。
【図４】窓開閉装置を示す分解斜視図。
【図５】装置本体のウォーム部分の断面図。
【図６】ブッシュを拡大して示す斜視図。
【図７】装置本体の要部を拡大して示す拡大図。
【図８】ウォームガイドを拡大して示す平面図。
【図９】ハンドルの変形例を示す分解斜視図。
【符号の説明】
【００３９】
１…建具であるルーバー窓、２…窓枠、９…可動部である縦杆、１０…窓開閉装置、１１…装置本体、１２…ハンドル、１３，１３Ａ，１３Ｂ…台座、１４Ｂ…ビス、１６…ビスカバー、１７…ウォーム、１８…挿入孔、１９…ウォームホイール、２５…ガイド部である係合溝、２６…被ガイド部である係合突部、２７…係止部である係止孔、２８…被係止部である係止突起、３０…連杆、３１…ブッシュ、３２…鍔部、３４…挿入部、３６…軸部、４１…抑制手段であるウォームガイド、４２…接触突部。
【図１】
2010090640.tif 000003
【図２】
2010090640.tif 000004
【図３】
2010090640.tif 000005
【図４】
2010090640.tif 000006
【図５】
2010090640.tif 000007
【図６】
2010090640.tif 000008
【図７】
2010090640.tif 000009
【図８】
2010090640.tif 000010
【図９】
2010090640.tif 000011